Podtech/llm-jp-corpus-v4-ja_patent huggingface dataset:
(57)【要約】【課題】柄模様が褪色し難く長期間に亘って鮮やかな柄模様を保ち続けることができ、また、柄模様がハッキリと目立つように、織成することができる畳縁を提供する。【解決手段】ポリエチレン糸から成る縦糸と横糸を平織りした細幅織地に、これら縦糸および横糸の色以外の色を有するポリエチレン糸から成り、断面が扁平状の浮糸を、上記縦糸と並行に織り込んで、上記細幅織地に柄模様を浮き出させるように織成される。【選択図】図２
0003139875.tif 000002
【実用新案登録請求の範囲】
【請求項１】
ポリエチレン糸から成る縦糸と横糸を平織りした細幅織地に、これら縦糸および横糸の色以外の色を有するポリエチレン糸から成り、断面が扁平状の浮糸を、上記縦糸と並行に織り込んで、上記細幅織地に柄模様を浮き出させるように織成されたことを特徴とする畳縁。
【請求項２】
上記浮糸の扁平状の断面形状が、メガネ形、繭形、小判形、長円形、長楕円形、矩形であることを特徴とする請求項１に記載の畳縁。
【考案の詳細な説明】
【技術分野】
【０００１】
本考案は、畳縁に関するものである。
【背景技術】
【０００２】
従来の畳縁としては、黒色のポリエチレン糸から成る縦糸と横糸を平織りした細幅織地に、黄色など黒以外の有色のポリプロピレン糸から成る浮糸を上記縦糸に平行に並べて、各種の柄模様を浮き出させたものが、一般的であった。
【０００３】
しかし、特に上記ポリプロピレン糸は、高価な耐光剤を入れていないため紫外線に弱く、その結果、特に、柄模様を浮き出させる浮糸にポリプロピレン糸を使用すると、褪色が速まり、柄模様が消えてしまうという問題点があった。
また、上記従来の浮糸は、地糸の断面形状と同じ丸形であるため、これと並行して織り込まれる黒色の縦糸に抑えられて、柄模様が目立ち難いという問題点もあった。
【考案の開示】
【考案が解決しようとする課題】
【０００４】
本考案が解決しようとする課題は、紫外線に強くて耐光性を有するポリエチレン糸から成る浮糸を使用することにより、柄模様が褪色し難く、長期間に亘って、鮮やかな柄模様を保ち続けることができ、また、柄模様がハッキリと目立つように、織成することができる畳縁を提供することにある。
【課題を解決するための手段】
【０００５】
本考案は、ポリエチレン糸から成る縦糸と横糸を平織りした細幅織地に、これら縦糸および横糸の色以外の色を有するポリエチレン糸から成り、断面が扁平状の浮糸を、上記縦糸と並行に織り込んで、上記細幅織地に柄模様を浮き出させるように織成されたことを特徴とする。また、上記浮糸の扁平状の断面形状が、メガネ形、繭形、小判形、長円形、長楕円形、矩形であることも特徴とする。
【考案の効果】
【０００６】
本考案の畳縁は、高価な耐光剤を入れる必要のない安価なポリエチレン糸を浮糸として使用するため、柄模様が褪色し難く、長期間に亘って、鮮やかな柄模様を保ち続けることができ、また、断面形状が扁平状の浮糸を使用するため、柄模様がハッキリと目立つように、織成することができる。
【考案を実施するための最良の形態】
【０００７】
以下、本考案の一実施例について、図面を参照しながら説明する。  図１において、Ｔは畳縁であって、黒色のポリエチレン糸から成る縦糸１と、同様に、黒色のポリエチレン糸から成る横糸２と、を平織りした細幅織地に、上記縦糸１と並行に、黒色以外の有色のポリエチレン糸から成る浮糸３を織り込んで、柄模様Ｍを浮き出させている。
【０００８】
上記ポリエチレン糸は、高価な耐光剤を入れなくても紫外線に強くて耐光性に富み、その結果、これを原糸とする浮糸３は、褪色し難い特性がある。従って、該浮糸３により浮き出る柄模様は、長期間に亘って色が鮮明な状態を保つことができる。
【０００９】
図２から明らかなように、上記浮糸３は、断面がメガネ形をした扁平状糸から成る。この扁平形状は、メガネ形に限定するものではなく、断面が繭形、小判形、長円形、長楕円形、矩形、或いは３連メガネなど、いずれの形状でも良い。また、内部は中空あるいは中実のいずれでもよい。断面の縦横比（縦寸法は厚み、横寸法は幅）としては、約１：１．２〜１．５の範囲にあるのが好ましい。縦横比が１：１．２より小さいと、並行して織り込まれる縦糸に抑えられて柄模様が目立ち難くなり、また、縦横比が１：１．５より大きいと、浮糸３の幅（横寸法）を維持し難くなり、安定した織成構造が得られない虞が生じる。
【００１０】
上記浮糸３の配色としては、細幅織地を構成する縦糸１や横糸２の色と異なる色であって、畳縁として効果的な柄模様を浮き出させる色であれば、いずれでも良い。本実施例の場合には、黒色の縦糸１や黒、緑、青、赤などの横糸２に対して、黄色或いはこれとベージュ色を組み合わせた浮糸３を使用している。なお、上記縦糸１や横糸２の配色はこれに限定するものではなく、また上記浮糸３の配色も上記実施例に限定するものではなく、上記縦糸１や横糸２の配色と異なる配色の浮糸３を使用してもよい。
【図面の簡単な説明】
【００１１】
【図１】本考案の畳縁の一実施例を示す説明図である。
【図２】図１の要部の拡大説明図（Ａ）およびイ−イ線断面図（Ｂ）である。
【符号の説明】
【００１２】
１    縦糸
２    横糸
３    浮糸
Ｔ    畳縁
Ｍ    柄模様
【図１】
0003139875.tif 000003
【図２】
0003139875.tif 000004
(57)【要約】【課題】排泄時に使用者の姿勢が安定し、かつ使い心地も良好なトイレ機能付きの介護用ベッドを提供すること。【解決手段】ベッド本体１の中央部に設けた開口部２に洋式便器の便座３を装着し、この便座３を開閉可能に覆うカバー板４を、その上面がベッド本体１の上面と一致するように設け、ベッド本体１の下面に、排泄物を受ける排泄物容器６を着脱可能に配置した引き出し５をスライド可能に設け、引き出し５をベッド本体１の下面に収納したとき、排泄物容器６がベッド本体１の開口部２の下方に位置するようにした。【選択図】図１
0003139876.tif 000002
【実用新案登録請求の範囲】
【請求項１】
ベッド本体の中央部に設けた開口部に洋式便器の便座を装着し、
前記開口部および便座を開閉可能に覆うカバー板を、その上面がベッド本体の上面と一致するように設け、
ベッド本体の下面に、排泄物を受ける排泄物容器を着脱可能に配置した引き出しをスライド可能に設け、
引き出しをベッド本体の下面に収納したとき、排泄物容器がベッド本体の開口部の下方に位置することを特徴とする介護用ベッド。
【考案の詳細な説明】
【技術分野】
【０００１】
本考案は、ベッド上で排泄を行うことができるトイレ機能付きの介護用ベッドに関する。
【背景技術】
【０００２】
従来、ベッドに寝たきりになっている要介護者の排泄処理は、一般的に、ベッド上で紙おむつや差し込み便器を使用したり、ベッド横でポータブル便器を使用することによって行っている。
【０００３】
ただし、紙おむつの使用は汚れて不快感があり、差し込み便器の使用は違和感や痛みがあり、ベッド横のポータブル便器の使用は要介護者をベッド横まで移動させる必要があるため、介護者に多大な負担がかかるという問題があった。
【０００４】
これに対して、特許文献１には、ベッド本体の中央に開口部を設け、その下方に便器を設けたトイレ機能付きの介護用ベッドが開示されている。この介護用ベッドによれば、要介護者はベッド上で排泄でき、また紙おむつや差し込み便器の使用に比べ、快適に排泄を行うことができる。
【０００５】
しかし、特許文献１の介護用ベッドは、そのベッド本体に開口部が設けられているのみであるので、排泄時に使用者の姿勢が安定せず、また使い心地も悪いものであった。
【特許文献１】特開２００７−２９６８８号公報
【考案の開示】
【考案が解決しようとする課題】
【０００６】
本考案が解決しようとする課題は、排泄時に使用者の姿勢が安定し、かつ使い心地も良好なトイレ機能付きの介護用ベッドを提供することにある。
【課題を解決するための手段】
【０００７】
本考案の介護用ベッドは、ベッド本体の中央部に設けた開口部に洋式便器の便座を装着し、前記開口部および便座を開閉可能に覆うカバー板を、その上面がベッド本体の上面と一致するように設け、ベッド本体の下面に、排泄物を受ける排泄物容器を着脱可能に配置した引き出しをスライド可能に設け、引き出しをベッド本体の下面に収納したとき、排泄物容器がベッド本体の開口部の下方に位置することを特徴とするものである。
【０００８】
このように本考案の介護用ベッドでは、ベッド本体の中央部に設けた排泄用の開口部に洋式便器の便座を装着しているので、便座に着差しながら排泄を行うことができ、使用者の姿勢が安定し、また使い心地も良好となる。
【０００９】
また、本発明の介護用ベッドは、ベッド本体の開口部および便座を開閉可能に覆うカバー板を備えるので、排泄処理を行わないときは、開口部および便座をカバー板で覆うことにより、通常のベッドとして使用することかできる。このとき、カバー板の上面はベッド本体の上面に一致するので、使用者に違和感が生じることはない。
【００１０】
本考案の介護用ベッドにおいて排泄物は排泄物容器に受けられるが、この排泄物容器はベッド本体の下面にスライド可能に設けられた引き出しに着脱可能に配置されているので、排泄後に、引き出しを引き出して排泄物容器を取り外すことにより、排泄物の処理も容易かつ衛生的に行うことができる。
【考案の効果】
【００１１】
本考案の介護用ベッドによれば、ベッド上で排泄処理を行うことができ、しかも排泄時に使用者の姿勢が安定し、使い心地も良好となる。
【考案を実施するための最良の形態】
【００１２】
以下、図面に示す実施例に基づき本考案の実施の形態を説明する。
【００１３】
図１は、本考案の介護用ベッドの一実施例を示し、（ａ）は側面図、（ｂ）は平面図である。
【００１４】
ベッド本体１の中央部には開口部２が設けられており、その周縁部に洋式便器の便座３が装着されている。便座３の基端側には蝶番機構を介してカバー板４が設けられており、このカバー板４によって開口部２および便座３を開閉可能に覆うようにしている。カバー板４は、例えば厚さ３ｃｍ程度のアルミ板で形成することができ、その上面がベッド本体１の上面と一致するように設けられる。便座３は、その上面がカバー板４の上面から３〜４ｃｍ程度下方に位置するように配置される。
【００１５】
ベッド本体１の開口部２の下方には引き出し５が設けられている。この引き出し５は、ベッド本体１の長手方向と直交する方向に沿ってスライド可能に設けられている。そして、引き出し５には、排泄物を受ける排泄物容器６が着脱可能に配置されている。この排泄物容器６は、引き出し５をベッド本体１の下面に収納したとき、ベッド本体１の開口部２の下方に位置するように配置される。排泄物容器６には、使用時に排泄物が飛散しないように水が入れられる。
【００１６】
以上の構成において、排泄を行うときは、ベッド本体１上のシーツ等を剥いで、カバー板４を露出させ開放する。その後、使用者は便座３に着差して排泄を行う。排泄が終わったらカバー板４を閉じ、シーツ等を元に戻して通常のベッドの状態とする。なお、この介護用ベッドのトイレ機能は、ベッドを使用している要介護者だけでなく、その介護者等の健常者も利用することができる。
【００１７】
排泄物は排泄物容器６に受けられる。その排泄物の処理は、引き出し５を引き出して排泄物容器６を取り外すことにより、容易かつ衛生的に行うことができる。
【００１８】
なお、本実施例の介護用ベッドは踏み台７を備えており、車椅子の使用時等、必要に応じてベッド横に持って来て使用することができる。使用後は、ベッド本体１の下方に置いておけば邪魔になることはない。
【図面の簡単な説明】
【００１９】
【図１】本考案の介護用ベッドの一実施例を示し、（ａ）は側面図、（ｂ）は平面図である。
【符号の説明】
【００２０】
１  ベッド本体
２  開口部
３  便座
４  カバー板
５  引き出し
６  排泄物容器
７  踏み台
【図１】
0003139876.tif 000003
(57)【要約】      （修正有）【課題】棒状の綿棒を、ユー字形の綿棒にして安全で使いやすいように提供する。【解決手段】綿棒の軸２の中心部分をユー字形に曲げ、綿体部分１を合わせ、立体構造の綿棒を提供する。具体的には、綿棒軸の形状をユ−字の形にして、それぞれの先端に綿体を取り付け、かつそれぞれの綿体に高低差がつけられているユ−字形綿棒。綿体部分をずらして合せることにより、先端が点から面の構造になり、耳や鼻の掃除等の効率と安全性、そして使いやすさを高めた綿棒である。【選択図】図１
0003139866.tif 000002
【実用新案登録請求の範囲】
【請求項１】
綿棒軸の形状をユ−字の形にして、それぞれの先端に綿体を取り付け、かつそれぞれの綿体に高低差がつけられていることを特徴とするユ−字形綿棒。
【考案の詳細な説明】
【技術分野】
【０００１】
本考案は、耳や鼻等の掃除用の綿棒に関するものである。
【背景技術】
【０００２】
従来、耳や鼻掃除用の綿棒は、その形状は一本の直線棒である。    
【考案の開示】
【考案が解決しようとする課題】
【０００３】
しかしながら、 棒状である従来の綿棒は、扱い方に注意を要するなど安全性や使いやすさなどに欠点がある。
【課題を解決するための手段】
【０００４】
本考案は、綿棒の軸をユ−字形して、綿体部分はずらして合わせた構造にする。長さなども考慮して、上記課題を解決する。
【考案の効果】
【０００５】
本考案は、綿棒がユ−字形により、つかむ部分が安定して使いやすくなる。綿体部分は接点をずらして合わせることにより耳内部での接点面が広くなり、その感触は柔らかく、使い勝手がよく安心して使えて掃除効率もよい。耳鼻穴等で粘液の分泌が多い場合などには特に適している。綿棒の長さは、従来の半分ぐらいにすることで奥の方に押し込みすぎたりする恐れがなくなり安全性がより向上する。                 
【考案を実施するための最良の形態】
【０００６】
図１に示すように、綿棒の軸を折り曲げて、それぞれの上部の先端に綿体を取り付けた構造である。しかし綿体位置は高さに高低差がつけられて、ずらし合わせた構造です。綿体部分の合わせには接着剤などは用いないことで、柔軟性のある動きをする。
すなわち、綿棒軸の形状をユ−字の形にして、それぞれの先端に綿体を取り付け、かつそれぞれの綿体に高低差がつけられているユ−字形綿棒。綿体部分をずらして合せることにより、先端が点から面の構造になり、耳や鼻の掃除等の効率と安全性、そして使いやすさを高めた綿棒である。
【図面の簡単な説明】
【０００７】
【図１】本考案に係わるユ−字形の綿棒の正面図である。
【図２】本考案に係わるユ−字形の綿棒の側面図である。
【符号の説明】
【０００８】
１ 綿体
２ 綿棒の軸
【図１】
0003139866.tif 000003
【図２】
0003139866.tif 000004
(57)【要約】【目的】  自動車にＧＰＳ電波探知機を取り付けるにあたり、これによって余分な場所を占めることがないようにし、または、適切な場所に配置できるようにすることが本考案の目的である。【構成】  ＧＰＳ電波探知機のアンテナ部を台座とし、その両側面の溝をスライドする鋏版を具備するカバーを引いて、これによって開いた隙間に画面表示部を差し込み、アンテナ部と画面表示部を接合し、あるいは、アンテナ部と画面表示部を分離して配置することを可能にし、また、ＬＥＤの光を受けて変色するアクリルパネルを画面表示部の外周に設置する、という構成からなっている。【選択図】図１
0003139802.tif 000002
【実用新案登録請求の範囲】
【請求項１】
画面表示部の台座となるアンテナ部の両側面の溝をスライドする鋏板を具備するカバ−を引いて、これによって開いた隙間に画面表示部を挟み込み、アンテナ部と画面表示部を接合し、または、アンテナ部と画面表示部を分離して、自動車に取り付けることのできる、ＧＰＳ電波探知機。
【請求項２】
ＬＥＤの光を受けて変色するアクリルパネルを画面表示部の外周に配置した、ＧＰＳ電波探知機。
【考案の詳細な説明】
【技術分野】
【０００１】  この考案は、アンテナ部と画面表示部を分離しまたは接合することによって、自動車のインテリアに合わせて様々な取り付けを可能とする、ＧＰＳ電波探知機に関する装置である。
【背景技術】
【０００２】  ＧＰＳ電波探知機は、ＧＰＳ（Ｇｌｏｂａｌ  Ｐｏｓｉｔｉｏｎｉｎｇ  Ｓｙｓｔｅｍ）を利用して、自動車の安全かつ正常な運行を図るために、自動車に取り付けられる装置である。これは、ＧＰＳによる電波を受信するアンテナ部とそれを画像に再生する画面表示部から構成されている。
そこで、従来、アンテナ部と画面表示部は、それぞれ別々の器具として、自動車に取り付けられることになった。【０００３】  ところが、このように、アンテナ部と画面表示部をそれぞれ別個の器具として自動車に取り付けると、これによって余分に場所を占めたり、または、適当な場所を選定し難いことにもなる、という問題が起こる。
【考案の開示】
【考案が解決しようとする課題】
【０００４】  この考案が解決しようする問題点は、次の通りである。
（イ）先ず、自動車にＧＰＳ電波探知機を取り付けるにあたり、この装置によって余分な場所を占めないようにし、または、適当な場所に取り付けることができるようにすることである。
（ロ）次に、電波探知機としてのいろいろな機能を十分に発揮できるようにすることである。
【課題を解決するための手段】
【０００５】  この考案が解決する手段は、次の通りである。
（イ）ＧＰＳ電波探知機（１）の画面表示部（２）の台座となるアンテナ部（４）の両側面の溝（６）をスライドする鋏板（７）を具備するカバー（５）を引いて、これによって開いた隙間（８）に画面表示部（２）を挟み込み、アンテナ部（４）と画面表示部（２）とを接合したり、または、アンテナ部（４）と画面表示部（２）を分離して、自動車に取り付けることができるようにする。
（ロ）また、ＧＰＳ電波探知機（１）の画面表示部（２）の外周にＬＥＤの光を受けて変色するアクリルパネル（３）を配置する。
【考案の効果】
【０００６】  この考案の効果は、次の通りである
（イ）このＧＰＳ電波探知機（１）のアンテナ部（４）と画面表示部（２）を接合したり、または、これらを分離して、自動車のインテリアに合わせて様々に取り付けることができるので、これによって余分な場所をとることもないし、また、適当な場所に取り付けることも可能である。
（ロ）また、このＧＰＳの電波探知機（１）の画面表示部（２）の外周に装備したアクリルパネル（３）の変色によって、ＧＰＳ電波探知機（１）のいろいろな機能の発揮を表示することができる。
【最良の実施例】
【０００７】  この考案の最良の実施例は、次の通りである。
（イ）ＧＰＳの電波探知機（１）のアンテナ部（４）を台座とし、この両側面に溝（６）をつくり、この溝（６）をスライドする鋏板（７）を具備するカバー（５）を、アンテナ部（４）の前面に設置する。このカバー（５）を引いて、これによって開いた隙間（８）に画面表示部（２）を差し込み、アンテナ部（４）と画面表示部（２）を接合できるようにする。または、アンテナ部（４）と画面表示部（２）とを分離して配置できるようにすることもできる。
（ロ）また、画面表示部（２）の外周にＬＥＤの光を受けて点灯または点滅するアクリルパネル（３）を配置し、アクリルパネル（３）の青から赤への変色によって、ＧＰＳ電波探知機（１）のいろいろな機能の発揮を表示できるようにする。
【実施例】
【０００８】  この考案の実施例は、次の通りである。
（イ）ＧＰＳ電波探知機（１）のアンテナ部（４）を本体の画面表示部（２）の台座とする。このアンテナ部（４）の両側面に溝（６）をつくり、この溝（６）をスライドする挟板（７）を具備するカバー（５）を、アンテナ部（４）の前面に設置する。
（ロ）アンテナ部（４）のカバー（５）を引いて、これによって開いたアンテナ部（４）の隙間（８）に本体の画面表示部（２）を差し込み、アンテナ部（４）と画面表示部（２）を接合し、自動車のダッシュボードに取り付ける。
（ハ）または、画面表示部（２）とアンテナ部（４）を分離して、本体の画面表示部（２）を自動車のメーターサイドに貼り付け、アンテナ部（４）をルームミラーの裏側に取り付ける。
（ニ）そうすると、アンテナ部（４）と画面表示部（２）を接合したり、あるいは、これらを分離して取り付けることができるので、自動車のインテリアに合わせて、様々な配置が可能となる。
（ホ）また、画面表示部（２）に内蔵する機能により、ＬＥＤの光を受け、点灯または点滅するアクリルパネル（３）を画面表示部（２）の外周に装備し、アクリルパネル（３）の青から赤への変色によって、ＧＰＳ電波探知機（１）のいろいろな機能の発揮を表示できるようにする。
【図面の簡単な説明】
【０００９】
【図１】  本考案の装置の接合した形態の図である。
【図２】  本考案の装置の分離した形態の図である。
【図３】  本考案の接合に至る過程の図である。
【符号の説明】
【００１０】  １  ＧＰＳ電波探知機
２  画面表示部
３  アクリルパネル
４  アンテナ部
５  カバー
６  溝
７  鋏板
８  隙間
【図１】
0003139802.tif 000003
【図２】
0003139802.tif 000004
【図３】
0003139802.tif 000005
【手続補正書】
【提出日】平成19年8月2日(2007.8.2)
【手続補正１】
【補正対象書類名】実用新案登録請求の範囲
【補正対象項目名】請求項２
【補正方法】変更
【補正の内容】
【請求項２】
ＬＥＤの光を受けて変色するアクリルパネルを画面表示部の外周に配置することを特徴とする請求項１項記載の装置。
【手続補正書】
【提出日】平成19年11月21日(2007.11.21)
【手続補正１】
【補正対象書類名】実用新案登録請求の範囲
【補正対象項目名】請求項２
【補正方法】変更
【補正の内容】
【請求項２】
ＬＥＤの光を受けて変色するアクリルパネルを画面表示部の外周に配置した、請求項１項に記載のＧＰＳ電波探知機。
(57)【要約】【課題】  岩盤浴のように暖められた石から放射される遠赤外線を用い、かつ制御し易い電気式発熱体を使用した簡便な足温器を提供する。【解決手段】  外寸が縦４０ｃｍ、横３３ｃｍ、高さ５ｃｍ、深さ４５ｍｍの木製の箱体の中に一辺３０ｃｍの正方形の陶板、その下にはアルミ板、その下には電気式発熱体が置かれ、最下部は発泡断熱体になっている４層構造のものが嵌め込んである。また箱体の枠にはＯＮ−ＯＦＦスイッチ、温度切り替えスイッチ、電源用プラグとパイロットランプ等が取り付けてある陶板足温器。【選択図】図１
0003139806.tif 000002
【実用新案登録請求の範囲】
【請求項１】
外寸が縦約４０ｃｍ、横約３３ｃｍ、高さ約５ｃｍ、深さ約４５ｍｍの木製の箱体で、上部周辺の枠の３辺は幅が約３ｃｍ、残る１辺の幅が約１０ｃｍあり、その幅１０ｃｍの枠には中央部に取っ手として手を入れて持ち上げるための楕円形のくりぬきが施してあり、その箱体の内側は周辺をくりぬいて、一辺約３０ｃｍの正方形で厚さ約４ｃｍの、以下に述べるものが収納してある。収納してあるものは底から順次、断熱板、電気発熱体、金属板、セラミック板または陶板を層状に積み重ねてあり、厚さはそれぞれ約１７ｍｍ、約５ｍｍ、約０．５ｍｍ、約１７ｍｍで合計ほぼ４０ｍｍの厚さになっている。そして取っ手のある幅の広い枠にはＯＮ−ＯＦＦスイッチ、パイロットランプ、電源用プラグ等が取り付けてあることを特徴とする陶板足温器。
【請求項２】
電気式発熱体として温度上昇時に一定温度以上になると電気抵抗が著しく増える自己制御型発熱体を使用した事を特徴とする請求項１記載の陶板足温器。
【考案の詳細な説明】
【技術分野】
【０００１】  陶板を使用した電気式足温器に関する。
【背景技術】
【０００２】  従来、岩盤浴等で知られるように石を暖めて、それから放射される遠赤外線を利用した温浴法がある。これは主に全身に対するものである。【０００３】  また一方頭寒足熱という言葉があるように、足を暖めるのが健康上良いとされ、足湯をはじめ、足を暖めるための様々な足温器が昔から考案され使用されてきた。足温器に使用される発熱体としては湯、熱された石、炭、豆炭、電気等様々あった。【０００４】  上記の発熱体は大部分が高温なので、直接足が高音部に触れないように熱的緩衝体を通して緩やかに熱が伝わる工夫がなされていた。
【考案の開示】
【考案が解決しようとする課題】
【０００５】  岩盤浴のように暖められた石から放射される遠赤外線を用い、かつ制御し易い電気式発熱体を使用した簡便な足温器を提供する。
【課題を解決するための手段】
【０００６】  本考案は上記問題に鑑みてなされたものであり、石板の代わりに、より安価なセラミック板あるいは陶板を使用し、発熱体としては制御し易い電気式発熱体を使用する。望ましくは、ある温度以上になると極端に電気抵抗が増える自己制御型の電気式発熱体を使用するのが良い。
【考案の効果】
【０００７】  遠赤外線による加温は皮膚より深く浸透するため快適に足を暖めることができる。かつ自己制御型の発熱体を使用する場合は、複雑な制御回路は必要無く、安価で安全な足温器を提供できる。
【考案を実施するための最良の形態】
【０００８】  一辺３０ｃｍの正方形で厚さ１７ｍｍの陶板を暖めるために、電気式発熱体をその下に配置し、熱の均一な伝導を図るために陶板と発熱体の間には金属板を挟み、また発熱体の下には熱の逃げるのを阻止するために厚さ１７ｍｍの断熱板が敷いてあり、それら全体を上部の開いた箱体に嵌め込んで使用するようになっている。【０００９】  また陶板の表面色と表面の性状は遠赤外線の放射の強さを左右するので、最良の色と性状を選んである。
【実施例】
【００１０】  本考案の実施例を図面に基づいて説明すると、図１は陶板足温器の斜視図で、図２は断面構造を示す断面図である。箱体１の外寸は縦４０ｃｍ、横３３ｃｍ、高さ５ｃｍ、深さ４５ｍｍの木製で、上部周辺の枠の３辺は幅が３ｃｍ、残る１辺の枠２の幅は１０ｃｍあり、その幅１０ｃｍの枠のほぼ中央には、この陶板足温器を持ち運びし易いように取っ手として楕円形のくりぬき３が施してある。また傍らにはＯＮ−ＯＦＦスイッチ４、温度切り替えスイッチ５、電源用プラグ６とパイロットランプ７等が取り付けてある。【００１１】  箱体の内側は周辺をくりぬいて、その中に一辺３０ｃｍの正方形で厚さ１７ｍｍの陶板８、その下には０．５ｍｍ厚のアルミ板９が置かれ、その下には自己制御特性を持った発熱線を貼り付けた電気式発熱体１０が置かれ、最下部は１７ｍｍ厚の発泡断熱体１１になっている４層構造のものが嵌め込んである。
【産業上の利用可能性】
【００１２】  以上説明したように、本考案の陶板足温器に拠れば、陶板から放射される遠赤外線と直接伝熱により足を暖めることができる。
【図面の簡単な説明】
【００１３】
【図１】陶板足温器の斜視図。
【図２】陶板足温器のＡ−Ａ’断面図。
【符号の説明】
【００１４】      １  箱体
２  幅の広い枠
３  取っ手
４  ＯＮ−ＯＦＦスイッチ
５  温度切り替えスイッチ
６  電源用プラグ
７  パイロットランプ
８  陶板
９  アルミ板
１０  電気式発熱体
１１  発泡断熱体
【図１】
0003139806.tif 000003
【図２】
0003139806.tif 000004
【手続補正書】
【提出日】平成19年11月15日(2007.11.15)
【手続補正１】
【補正対象書類名】実用新案登録請求の範囲
【補正対象項目名】全文
【補正方法】変更
【補正の内容】
【実用新案登録請求の範囲】
【請求項１】
外寸が縦約４０ｃｍ、横約３３ｃｍ、高さ約５ｃｍ、深さ約４５ｍｍの上部の開いた木製の箱体で、上部周辺の枠の３辺は幅が約３ｃｍ、残る１辺の幅が約１０ｃｍあり、その幅１０ｃｍの枠には中央部に取っ手として手を入れて持ち上げるための楕円形のくりぬきが施してあり、その箱体の枠の内側は周辺をくりぬいて、一辺約３０ｃｍの正方形で、底から順次、断熱板、電気発熱体、金属板、セラミック板または陶板のそれぞれ厚さ約１７ｍｍ、約５ｍｍ、約０．５ｍｍ、約１７ｍｍのものを層状に積み重ねて、合計ほぼ４０ｍｍの厚さになっているものが収納してあり、そして取っ手のある幅の広い枠部分の上面と側面にはＯＮ−ＯＦＦスイッチ、パイロットランプ、電源用プラグ等が取り付けてあることを特徴とする陶板足温器。
【請求項２】
電気式発熱体として温度上昇時に一定温度以上になると電気抵抗が著しく増える自己制御型発熱体を使用した事を特徴とする請求項１記載の陶板足温器。
(57)【要約】      （修正有）【課題】合成樹脂膜（塩化ビニール、ポリエチレン等）を袋状にしたフロートバス（浴槽内入浴袋）を、浴槽内に係留できるようにして入浴時の安定を図るとともに、浮き輪式枕を設けて入浴時に楽な姿勢を保てるようにする。  この他、フロートバス本体の下部に吊し穴を設けて、水切り、保管を簡便化した。【解決手段】（イ）フロートバスの最上部の中心部に浮き袋式の枕を（１）設ける。（ロ）フロートバスの浮き袋式枕（１）の両脇にあけた穴（２）と吸着盤（３）が三角形になるように弾力性のある紐（５）で結び、吸着盤を浴槽の内面に吸着させてフロートバスを浴槽内に係留する。（ハ）フロートバスの下部末端部分両脇に穴（４）を設け、未使用時にはこの穴を浴槽の壁等に設けたフックにかけて吊し、水切りや保管を簡便にする。【選択図】図２
0003139808.tif 000002
【実用新案登録請求の範囲】
【請求項１】
浴槽内係留装置及び枕、水切り・保管用の吊し穴を設けた、合成樹脂膜（塩化ビニール、ポリエチレン等）を袋状にしたフロートバス（浴槽内入浴袋）
【考案の詳細な説明】
【考案の開示】
【技術分野】
【０００１】  この考案は、経済的且つ入浴効果を高める為の入浴器具に関するものである。
【背景技術】
【０００２】  従来より合成樹脂膜を袋状にしたもので、浴槽内に設置し、治療効果のある薬湯及び温泉等を入れて入浴するものはあったが、安定性に欠けるとともに取扱に問題があった。
【考案が解決しようとする課題】
【０００３】  本考案は、塩化ビニール、ポリエチレン等の合成樹脂膜を袋状にしたフロートバス（浴槽内入浴袋）に、浴槽内に係留する装置と浮き袋式の枕を設け、使用時の安定感を確保するとともに、不使用時に水切りや保管しやすい構造にした。
【課題を解決するための手段】
【０００４】  いま、その解決手段を図面をおいながら説明すれば、
（イ）フロートバスの最上部の中心部に浮き袋式の枕（１）を設ける。
（ロ）フロートバスの浮き袋式枕（１）の両脇にあけた穴（２）と吸着盤（３）が三角形になるように弾力性のある係留用紐（５）で結び、吸着盤を浴槽の内面に吸着させてフロートバスを浴槽内に係留する。
（ハ）フロートバスの下部末端部分両脇に穴（４）を設け、未使用時にはこの穴を浴槽の壁等に設けたフックにかけて吊し、水切りや保管を簡便にする。
【考案の効果】
【０００５】▲１▼吸着盤によりフロートバスを浴槽内に係留することにより、入浴時に安定感が増し、入浴がしやすくなるとともに、高齢者や幼児が安心して使用できるようになる。
▲２▼浮き袋式の枕を設けることにより、入浴時に楽な姿勢が保てる。
▲３▼本体下部に吊し穴を設けることにより、水切りや保管が簡便になる。
▲４▼一般の浴槽に適さない薬用入浴剤、浴槽に付着する入浴剤、湯沸かし装置に目詰まりを起こす入浴剤等の使用が可能になる。
▲５▼入浴剤の使用量を減らすことができ、経済効果がある。
【図面の簡単な説明】
【０００６】
【図１】  フロートバスの鳥瞰図である。
【図２】  フロートバスの正面図である。
【符号の説明】
【０００７】  （１）  浮き袋式枕
（２）  係留用紐結び穴
（３）  吸着盤
（４）  吊し用穴
（５）  係留用紐
（６）  フロートバス本体
【図１】
0003139808.tif 000003
【図２】
0003139808.tif 000004
【手続補正書】
【提出日】平成19年11月7日(2007.11.7)
【手続補正１】
【補正対象書類名】実用新案登録請求の範囲
【補正対象項目名】全文
【補正方法】変更
【補正の内容】
【実用新案登録請求の範囲】
【請求項１】
浮き袋状の枕とフロート部分および袋状の部分により構成され、保管用の吊し穴と浴槽に係留するための紐及び吸着盤がついた、塩化ビニール等の合成樹脂膜でできた浴槽内に設置して使用する入浴用具。
【手続補正２】
【補正対象書類名】明細書
【補正対象項目名】０００３
【補正方法】変更
【補正の内容】
【０００３】  本考案は、塩化ビニール等の合成樹脂膜による浮き袋状の枕と浮き輪状のフロート部分及び袋状の部分により構成された、浴槽内に設置して使用する袋状の入浴器具で、袋状部分の末端に保管用の吊し穴を設けて、不使用時の水切りと収納を簡便にするとともに、浴槽の内側に係留する紐と吸着盤を設けて使用時の安定性を確保できる構造にした。
【手続補正３】
【補正対象書類名】明細書
【補正対象項目名】０００４
【補正方法】変更
【補正の内容】
【０００４】  いま、その解決手段を図面をおいながら説明すれば、
（イ）フロート部分（２）の上に、浮き袋式の枕（１）を設ける。
（ロ）枕（１）の両脇に、係留するための紐（７）を結ぶ穴（６）を設け、吸着盤（５）と三角形になるように紐（７）で結び、吸着盤（５）を浴槽に吸着させて浴槽内に係留する。
（ハ）袋状の部分の下部の両脇に水漏れしない保管用の吊し穴（４）を設け、不使用時にはこの穴を浴槽の壁等に設けたフックにかけて吊し、水切りや保管を簡便にする。
【手続補正４】
【補正対象書類名】明細書
【補正対象項目名】０００５
【補正方法】変更
【補正の内容】
【０００５】（イ）浴槽に係留することにより、入浴時の安定感が増し、入浴がしやすくなるとともに、高齢者や幼児が安心して使用できるようになる。
（ロ）浮き袋式の枕（１）を設けることにより、入浴時に楽な姿勢が保てる。
（ハ）本体下部に保管用の穴（４）を設けることにより、水切りや保管が簡便になる。
（ニ）一般の浴槽に適さない薬用入浴剤、浴槽に付着する入浴剤、湯沸かし装置に目詰まりを起こす入浴剤等の使用が可能になる。
（ホ）入浴剤の使用量を減らすことができ、経済効果がある。
【手続補正５】
【補正対象書類名】明細書
【補正対象項目名】０００７
【補正方法】変更
【補正の内容】
【０００７】（１）  浮き袋状枕
（２）  フロート部分
（３）  袋状部分
（４）  保管用吊し穴
（５）  吸着盤
（６）  係留用紐結び穴
（７）  係留用の紐
0003139808.tif 000005
0003139808.tif 000006
(57)【要約】      （修正有）【要約書】【課題】カードフォルダーが胸ポケット前に確実に保持されるため、安全且つ作業性が向上し、ＩＤカードが他者に明示される。また、ＩＤカードが不要の場合、キャラクターやアクセサリーを入れ胸ポケットのアクセントとして使用できる。【解決手段】ペンケース３とカードホルダー１を上部で繋げ、間に板バネ２を挿入することにより、胸ポケットの内外両面から押圧し固定できる構造を有するペンケース付きカードホルダー。また、キャップ付き筆記用具５をケース下部より挿入し、キャップに付随する掛け具でケース下部に掛止めされ、キャップを残してペンを上部より取り出せる構造を有するペンケース。【選択図】図１
0003139809.tif 000002
【実用新案登録請求の範囲】
【請求項１】
ペンケースとカードホルダーを上部で繋げ、間に板バネを挿入することにより、胸ポケットの内外両面から押圧し固定できる構造を有するペンケース付きカードホルダー。
【請求項２】
キャップ付き筆記具をケース下部より挿入し、キャップに付随する掛け具でケース下部に掛止めされ、キャップを残してペンを上部より取り出せる構造を有するペンケース。
【考案の詳細な説明】
【技術分野】
【０００１】事務用品
【考案の開示】
【考案が解決しようとする課題】
【０００２】現在のＩＤカードホルダーは紐で首から掛けるかピンセットで胸に固定する方式が一般に使用されているが作業上、安全上から不満足である。
一方特許公開番号１０−１１９４８０で提示されているポケット取付式ペン立ての利便性を実現する為提示されたものとは異なるポケットペンケースを提示する。
【考案が解決するための手段】
【０００３】カードホルダーとペンケースを上部で繋ぎ胸ポケットの外にカードホルダー、内側にペンケースを板バネで互いに押圧するとにより安全且つ確実に保持出来る構造にする。
ペンのキャップに付随する掛け具をペンケース下部に逆さまに掛止めすることにより、ペンをワンタッチでポケットから取り出せる構造にする。
キャプが不要なシャーペン等は上部より差込み、上部で掛止め出来る構造にする。
【考案の効果】
【０００４】カードホルダーが胸ポケット前に確実に保持されるため、安全且つ作業性が向上し、ＩＤカードが他者に明示される。またＩＤカードが不用の場合キャラクターやアクセサリーを入れ胸ポケットのアクセントとして使用できる。
ペンを上部よりキャプを残してワンタッチで取り出せ、キャプをその都度装着せずに収納可能となる。  また、不要時には机上や作業場等に置くことなく、常にポケットに収納されるので、ペンやキャプの紛失も防げる。
また、ボールペン、シャープペン、マーカー、棒状消しゴム、等の複数の筆記具を一括して胸ポケットに収納でき且つすべてワンタッチで取出、収納が可能な為、作業性が向上する。
【考案を実施するための最良の形態】
【０００５】１のカードホルダーと３のペンケースを２の板バネで胸ポケットの内外を互いに押圧する。
キャプ付きペン等は５の如くケース下部より掛止めする。
キャプの無いシャープペン等は６の如くケース上部より掛止めする。
【図面の簡単な説明】
【０００６】
【図１】ペンケース付きカードホルダーの正面図、側面図  及びＡ−Ａ断面図を示す。
【符号の説明】
【０００７】１．カードホルダー
２．板バネ
３．ペンケース
４．セパレーター
５．キャプ付きペン等
６．シャープペン等キャプなし筆記具
７  カバー
８．胸ポケット前布
【図１】
0003139809.tif 000003
【手続補正書】
【提出日】平成19年11月13日(2007.11.13)
【手続補正１】
【補正対象書類名】実用新案登録請求の範囲
【補正対象項目名】全文
【補正方法】変更
【補正の内容】
【実用新案登録請求の範囲】
【請求項１】
複数のペンを収納可能なペンケースとＩＤカード等のカードを収納可能なカードホルダーとを板バネを用いて連結し、前記のカードホルダーを用いて胸ポケットの外面から押圧し、ペンケースが胸ポケットの内に収納されＩＤカード等を外面に露出させることができる構造を有するペンケース付きカードホルダー。
【請求項２】
キャップ付き筆記具のキャップクリップを用いて前記ペンケース下部に掛け止めることで、前記キャップ付き筆記具の使用時には前記キャップがペンケース下部に掛止めされたままペン本体のみを取り出すことができることを特徴とした請求項１に記載のペンケース付きカードホルダー。
(57)【要約】      （修正有）【課題】ゴミ箱の風雨による移動や転倒を防ぐことで景観を良くし、土地の有効活用を行い、無料雑誌の普及や企業の広告を行う。又、電照広告により速やかな災害情報及び交通情報等を発信する。【解決手段】ゴミ箱６をゴミ箱収納ケース１に入れ、その収納ケースの上部に広告紙置き棚２や広告板３を設ける。【選択図】図２
0003139810.tif 000002
【実用新案登録請求の範囲】
【請求項１】
ゴミ箱収納ケース▲１▼の上に設けた広告紙置き棚▲２▼
【請求項２】
ゴミ箱収納ケース▲１▼の上に設けた広告板▲３▼
【考案の詳細な説明】
【技術分野】
【０００１】  本考案は、ゴミ箱収納ケース上の広告紙置き棚と広告板に関する。
【背景技術】
【０００２】  従来のゴミ箱は、固定されていない為、風雨で移動したり転倒している。（図１）又、ゴミ箱からゴミがあふれ衛生上悪く、美観を損なっている。
【考案の開示】
【考案が解決しようとする課題】
【０００３】  しかし、これでは、ゴミ箱が風で移動したり倒れたりしてしまい景観にも良く無い。ゴミ箱が直接人目にふれないようにし、さらに上部空間を利用し、情報発信と防犯に努める。
【課題を解決するための手段】
【０００４】  そこで、ゴミ箱を収納するケース上部に設けた広告紙置き棚（図２）と、広告板（３）を考案した。さらに、上部に電照広告等と防犯カメラを設置する。
【考案の効果】
【０００５】  よって、本考案のゴミ箱収納ケースにより、風雨によるゴミ箱の移動や転倒が無くなる。また、上部に設けた広告紙置き棚や広告板で、町の出来事や雑誌を見る事で企業の内容を知る事もできる。また棚に置いた無料雑誌の普及で多くの情報を得ることもできる。尚、自動販売機の横に設置してある場合は、広告紙を読むことと飲み物を取ることの相乗効果が出てくる。電照広告により速やかな災害情報及び交通情報等を発信し、また防犯カメラにより町の防犯に努められる。
【考案を実施するための最良の形態】
【０００６】  本考案に係る広告紙置き棚▲２▼は、ゴミ箱収納ケース▲１▼の上部に設け、棚の幅はＡ４程度の大きさが入る広さとし、多種の雑誌が入るように棚を多く設ける。また、全体が風で倒れないように固定用足▲５▼を設ける。尚、屋外で使用する際は、雨水対策として扉▲４▼を設けると良い。また広告板▲３▼もゴミ箱収納ケース▲１▼の上部に設け、広告板▲３▼は前面・側面・背面に設けても良い。強風時に扉が開かないように、取手はラッチを設けた。
扉は自動で閉まるようにした。
【図面の簡単な説明】
【０００７】
【図１】  現状の設置例
【図２】  ゴミ箱収納ケース上の広告置き棚の正面図と側面図
【図３】  ゴミ箱収納ケース上の広告板の正面図と側面図
【符号の説明】
【０００８】    １      ゴミ箱収納ケース
２      広告紙置き棚
３      広告板
４      扉
５      固定用足
６      ゴミ箱
７      ゴミ投入口
【図１】
0003139810.tif 000003
【図２】
0003139810.tif 000004
【図３】
0003139810.tif 000005
【手続補正書】
【提出日】平成19年11月13日(2007.11.13)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱▲６▼、ゴミ箱投入口▲７▼、固定用足▲５▼が一体となったゴミ箱収納ケース▲１▼の上に設けた、扉▲４▼の付いた広告置き棚▲２▼が一体となった構造物。
【請求項２】
ゴミ箱▲６▼、ゴミ箱投入口▲７▼、固定用足▲５▼が一体となったゴミ箱収納ケース▲１▼の上に設けた、広告板▲３▼が一体となった構造物。
(57)【要約】      （修正有）【課題】犬・猫等ペット用既製食器に於いて、盛られた餌に耳の長く垂れているペットの耳が入り汚れることを防止する。又、鼻の長い種類のペットが食器の隅の餌も食べやすくすることである。【解決手段】耳汚れ防止ペット用食器は、側部幅を耳の長く垂れているペットの耳が食器内に入らない長さにして耳が汚れることを防止する。さらに、低部を波状に、側部３もペットの鼻が邪魔にならないように構成した。【選択図】図１
0003139803.tif 000002
【実用新案登録請求の範囲】
【請求項１】
（１）
従来の犬・猫等ペットの既製食器に於いて、側部幅１を耳が長く垂れているペットの顎幅程度の長さにして、耳が長く垂れているペットの耳が食器内に入らないようにして耳の汚れを防ぐ。又、その食器の低部２を波状にして餌の移動を防ぎ、側部３を鼻の長い種類のペットの鼻が邪魔にならないようにして食器の隅の餌も食べ易くしたことを特徴とするペット用食器。
【考案の詳細な説明】
【技術分野】本考案は、犬・猫等ペット用の食器に関するものである。
【背景技術】
【０００１】従来の既製食器は、耳が長く垂れているペットが餌を食べる際に食器内に耳が入り汚れる構造となっている。
【考案の開示】
【考案が解決しようとする課題】
【０００２】上述の食器で、犬・猫等ペットに餌を与えている時に於いて、著しい問題が生じて来る。即ち、耳が長く垂れている種類のペットに餌を与える祭に食器内に耳が入り汚れるのを防止すること。
又、鼻の長い種類のペットが食器内の隅の餌も食べ易くすることである。
【課題を解決するための手段】
【０００３】本考案は、上述の初問題点に鑑みなされたものであって、従来の食器は円型や角型が多くその形や大きさに特別の制約はない筈である。要するに耳が長く垂れているペットが食べ易く耳の汚れるのを防止できれば良いものである。そこで本考案は、形を長方形にし側部幅１をペットの顎幅程度にすることにより耳が長く垂れているペットの耳が食器内に入らない長さにした。さらに、底部２を波状にして餌の移動を防ぎ、側部３の高さを側部４より低くすることにより鼻の長い種類のペットの鼻が食器内の隅に残る餌を食べるとき鼻が邪魔にならないよう構成したものである。
【考案の効果】
【０００４】食器の側部１幅をペットの顎幅程度として、耳が長く垂れているペットの耳が食器内に入らないようにすることにより耳が長く垂れているペットの耳が汚れず衛生的であり、且、飼主によるペットの耳汚れによる後始末、餌場付近の清掃等の手間を省くことが出来る。又、低部２を波状にすることにより餌の移動を防ぎ、側部３の高さを側部４より低くすることによりペットの鼻が食器内の隅に残る餌を食べるとき鼻が邪魔にならず食器内の隅の餌も食べ易くなる。
【考案を実施するための最良の形態】
【０００５】図１に示すように、食器の側部幅１を耳が長く垂れたペットの顎幅程度にし、側部３の高さを側部４の高さより低くし、図２に示すように底部２を波状にした構成になっている。
【図面の簡単な説明】
【０００６】
【０００７】
【図１】    斜視図
【図２】    側面図
【図３】    正面図
【符号の説明】
【０００８】  １    側部幅１
２    底部２
３    側部３
４    側部４
【図１】
0003139803.tif 000003
【図２】
0003139803.tif 000004
【図３】
0003139803.tif 000005
【手続補正書】
【提出日】平成19年10月1日(2007.10.1)
【手続補正１】
【補正対象書類名】実用新案登録請求の範囲
【補正対象項目名】全文
【補正方法】変更
【補正の内容】
【実用新案登録請求の範囲】
【請求項１】
長方形の箱型をなし、側部３の高さを側部４より低くし、さらに底部２を波状にしたことを特徴とするペット用食器。
【手続補正２】
【補正対象書類名】明細書
【補正対象項目名】全文
【補正方法】変更
【補正の内容】
【考案の詳細な説明】
【技術分野】本考案は、犬・猫等ペット用の食器に関するものである。
【背景技術】
【０００１】従来の既製食器の多くは円型や角型の皿状が多く、耳が長く垂れているペットが餌を食べる際に食器内に耳が入り汚れる構造となっている。
【考案の開示】
【考案者が解決しようとする課題】
【０００２】耳が長く垂れている種類のペットに餌を与える祭に食器内に耳が入り汚れるのを防止し、さらに鼻の長い種類のペットが食器内の隅の餌も食べ易くすることである。
【課題を解決するための手段】
【０００３】本考案は、形を長方形にし耳が長く垂れているペットの耳が食器内に入らない長さにし、さらに底部２を波状にして餌の移動を防ぎ、側部３の高さを側部４より低くすることにより鼻の長い種類のペットの鼻が食器内の隅に残る餌を食べるとき鼻が邪魔にならないよう構成したものである。
【考案の効果】
【０００４】耳が長く垂れているペットの耳が食器内に入らないようにすることによりペットの耳が汚れず衛生的であり、且、飼主によるペットの耳汚れによる後始末、餌場付近の清掃等の手間を省くことができ、又、底部２を波状にすることにより餌の移動を防ぎ、側部３の高さを側部４より低くすることによりペットの鼻が食器内の隅に残る餌を食べるとき鼻が邪魔にならず食器内の隅の餌も食べ易くなる。
【考案を実施するための最良の形態】
【０００５】図１正面図に示すように、側部３の高さを側部４の高さより低くし、図１側面図に示すように底部２を波状にした構成になっている。
【図面の簡単な説明】
【０００６】
【図１】この考案に係るペット用食器の正面図・側面図
【図２】同じく、その斜視図
【図３】実際に耳が長く下に垂れているペットがペット用食器を用いて食事をしている状況の斜視図
【符号の説明】
【０００７】１    側部幅１
２    底部２
３    側部３
４    側部４
【０００８】
【手続補正３】
【補正対象書類名】図面
【補正対象項目名】全図
【補正方法】変更
【補正の内容】
【図１】
0003139803.tif 000006
【図２】
0003139803.tif 000007
【図３】
0003139803.tif 000008
(57)【要約】【課題】非使用時には分解して折り畳むことにより、持ち運び、保管等に便利なコンパクトな状態にすることができるようにした正座用いすを提供する。【解決手段】台部１と、該台部１上に着脱自在に載置される座部３とよりなり、  該台部１は平らに折畳み可能な四角筒体であり、該座部３は該台部１の上端に係止する係止部を下面に備えていることを特徴とする正座用いす。台部１は４枚の平板５を相互に折曲自在に連結させてなる四角筒体である。【選択図】図１
0003139897.tif 000002
【実用新案登録請求の範囲】
【請求項１】
台部と、該台部上に着脱自在に載置される座部とよりなり、
該台部は平らに折畳み可能な四角筒体であり、該座部は該台部の上端に係止する係止部を下面に備えていることを特徴とする正座用いす。
【考案の詳細な説明】
【技術分野】
【０００１】
本考案は、正座用いすに関するものであり、更に詳しくは、例えば法事等の際に長時間にわたる正座を容易ならしめるために臀部の下に置く正座用いすに係るものである。
【背景技術】
【０００２】
実用新案登録第３１１４６３９号公報は、発泡ポリエチレン等の合成樹脂により所定の形状に一体的に形成された正座用いす（以下「従来の正座用いす」という。）を開示している。
【特許文献１】実用新案登録第３１１４６３９号公報
【考案の開示】
【考案が解決しようとする課題】
【０００３】
上記従来の正座用いすは、所定の形状に一体的に形成されたものであるため、嵩張るものであって、持ち運び、保管等に不便である。
【０００４】
本考案は、上記従来の正座用いすにおける上述の如き問題を解決し、非使用時には分解して折り畳むことにより、保管等に便利なコンパクトな状態にすることができるようにした正座用いすを提供しようとしてなされたものである。
【課題を解決するための手段】
【０００５】
上記課題を解決するために、本考案は下記の正座用いすを提供する。
【０００６】
台部と、該台部上に着脱自在に載置される座部とよりなり、
該台部は平らに折畳み可能な四角筒体であり、該座部は該台部の上端に係止する係止部を下面に備えていることを特徴とする正座用いす（請求項１）。
【考案の効果】
【０００７】
本考案によれば、座部は台部に対し着脱自在であり、しかも、台部は平らに折畳み可能な四角筒体であるため（図７参照）、座部を台部から取り外し、台部を平らに折り畳んだときには、持ち運び、保管等に便利なコンパクトな状態になる。すなわち、このように座部と平らに折り畳んだ台部とを例えばハンドバッグ、ポケット等に収納して携帯することができる。
【０００８】
上述の如く分解した正座用いすを組立てることも極めて容易である。
【０００９】
また、座部は台部の上端に係止する係止部を下面に備えているため、座部の係止部を台部の上端に係止したときには、使用中に座部が台部から外れるおそれはなく、折畳み可能な台部も使用中に安定する。
【００１０】
なお、本考案による正座用いすは、使用時には使用者の体重を好ましく支えるため、使用者の足に負担がかかることがなく、足がしびれるおそれもない。
【考案を実施するための最良の形態】
【００１１】
本考案による正座用いすは、台部１と、該台部１上に着脱自在に載置される座部３とよりなる。
【００１２】
台部１と座部３とは、合成樹脂、木、ダンボール、金属など如何なる材料により形成しても差し支えない。
【００１３】
台部１は平らに折畳み可能な四角筒体である。
【００１４】
台部１は、４枚の平板５を相互に折曲自在に連結させてなる四角筒体である。
【００１５】
図８に示す事例においては、各平板５は合成樹脂により形成され、各平板５はヒンジ部７ａを介して折曲自在に連結されている。
【００１６】
図９に示す事例においては、各平板５は段ボールにより形成され、各平板５はヒンジ部７ｂを介して折曲自在に連結されている。
【００１７】
なお、各平板５は蝶番を介して相互に連結しても差し支えない。また、いずれかの平板５の下端に底板（図示せず。）を枢着しても差し支えない。
【００１８】
座部３は、台部１の上端１ａに係止する係止部９を下面に備えている。座部３は、好ましくは、台部１よりも幅広に形成する。
【００１９】
係止部９は、好ましくは、台部１の上端１ａ開口部の内面に係止する凸部である。
【００２０】
図２、図４に示す事例においては、相対向する一対の平板５の内面上端に係止する一対の平行な突条状の係止部９ａが座部３の下面に形成されている。
【００２１】
図３、図５に示す事例においては、４枚の平板５の内面上端に嵌合する一つの台状の係止部９ｂが座部３の下面に形成されている。
【００２２】
なお、座部３の上面には、適宜クッション材等を取り付けてもよい。
【図面の簡単な説明】
【００２３】
【図１】本考案による正座用いすの一例を示す斜視図である。
【図２】同上正座用いすの断面図である。
【図３】本考案による正座用いすの別の一例を示す断面図である。
【図４】係止部の一例を示す斜視図である。
【図５】係止部の別の一例を示す斜視図である。
【図６】台部の一例を示す斜視図である。
【図７】同上台部を平らに折り畳んだ状態を示す平面図である。
【図８】平板のヒンジ部の一例を示す平面図である。
【図９】平板のヒンジ部の別の一例を示す平面図である。
【符号の説明】
【００２４】
１  台部
１ａ  上端
３  座部
５  平板
７ａ  ヒンジ部
７ｂ  ヒンジ部
９  係止部
９ａ  係止部
９ｂ  係止部
【図１】
0003139897.tif 000003
【図２】
0003139897.tif 000004
【図３】
0003139897.tif 000005
【図４】
0003139897.tif 000006
【図５】
0003139897.tif 000007
【図６】
0003139897.tif 000008
【図７】
0003139897.tif 000009
【図８】
0003139897.tif 000010
【図９】
0003139897.tif 000011